Podtech/llm-jp-corpus-v4-ja_patent huggingface dataset:
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
少なくとも下記をベースとする、タイヤの製造において使用することのできるゴム組成物：
・ジエンエラストマー；
・イオウ系架橋系；
・補強用充填剤としての無機充填剤；
・下記の一般式Iのカップリング剤：
(HO)3-n R1n Si − Z − Sm − R2
(式中、R1は、同一または異なるものであって、各々、1〜18個の炭素原子を有する、線状または枝分れのアルキル、シクロアルキルまたはアリールから選ばれる一価の炭化水素系基を示し；
R2は、1〜30個の炭素原子を有する、線状または枝分れのアルキル、シクロアルキルまたはアリールから選ばれる一価の炭化水素系基を示し；
Zは、1〜18個の炭素原子を含む二価の結合基を示し；
nは、0、1または2に等しい整数を示し；そして、
mは、2以上の数を示す)。
【請求項２】
nが、1に等しい、請求項１記載の組成物。
【請求項３】
Zが、O、SおよびNから選ばれる１個以上のヘテロ原子を含む、請求項１又は２に記載の組成物。
【請求項４】
ｍが、2に等しい、請求項１〜３のいずれか１項記載の組成物。
【請求項５】
R1が、メチル、エチル、n-プロピルおよびイソプロピルから、好ましくはメチルおよびエチルから選ばれ；
Zが、C1〜C18アルキレンおよびC6〜C12アリーレンから選ばれる、請求項１、２または４のいずれか１項記載の組成物。
【請求項６】
mが2に等しく、R1がメチルであり、R2がオクチルであり、Zがプロピレンである、請求項５記載の組成物。
【請求項７】
ジエンエラストマーが、ポリブタジエン、合成ポリイソプレン、天然ゴム、ブタジエンコポリマー、イソプレンコポリマーおよびこれらのエラストマーの混合物からなる群から選ばれる、請求項１〜６のいずれか１項記載の組成物。
【請求項８】
補強用無機充填剤の量が、50phr (エラストマー100質量部当りの質量部)よりも多い、好ましくは60phrと140phrの間の量である、請求項１〜７のいずれか１項記載の組成物。
【請求項９】
亜鉛含有量が、0.5phrよりも少ない、請求項１〜８のいずれか１項記載の組成物。
【請求項１０】
少なくとも(i)１種のジエンエラストマー中に、少なくとも(ii)補強用充填剤としての無機充填剤、(iii)下記の一般式Iを有するカップリング剤および(iv)イオウ系加硫系を、混練によって混入することを特徴とする組成物の製造方法：
(HO)3-n R1n Si − Z − Sm − R2
(式中、R1は、同一または異なるものであって、各々、1〜18個の炭素原子を有する、線状または枝分れのアルキル、シクロアルキルまたはアリールから選ばれる一価の炭化水素系基を示し；
R2は、1〜30個の炭素原子を有する、線状または枝分れのアルキル、シクロアルキルまたはアリールから選ばれる一価の炭化水素系基を示し；
Zは、1〜18個の炭素原子を含む二価の結合基を示し；
nは、0、1または2に等しい整数を示し；そして、
mは、2以上の数を示す)。
【請求項１１】
請求項１〜９のいずれか１項記載のゴム組成物を含むタイヤまたは半製品。
【請求項１２】
請求項１〜９のいずれか１項記載のゴム組成物を含むタイヤトレッド。
【手続補正書】
【提出日】平成25年2月1日(2013.2.1)
【手続補正１】
【補正対象書類名】明細書
【補正対象項目名】００３１
【補正方法】変更
【補正の内容】
【００３１】
実施例１５．３ａを合成中間体として用いるＳＰ−４の調製
2012527477.tif 000001
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
２−メチルテトラヒドロフラン（ＭＴＨＦ）が、リンイリドの形成および前記イリドとナルトレキソンの間の後続反応の両方において使用されるウィッティヒ反応において、ナルトレキソンからナルメフェンを調製する方法。
【請求項２】
ａ）メチルトリフェニルホスホニウム塩を、ＭＴＨＦおよび適当な塩基と混合することにより、リンイリドを調製するステップ、および
ｂ）ナルトレキソンおよびＭＴＨＦを含む混合物を、ステップａ）で得られた混合物に添加するステップ
を含む、請求項１に記載の方法。
【請求項３】
ステップａ）およびｂ）が、同一の容器内で同時に行われる、またはステップａ）およびｂ）が連続して行われる、請求項２に記載の方法。
【請求項４】
メチルトリフェニルホスホニウム塩が、臭化メチルトリフェニルホスホニウム（ＭＴＰＰＢ）、塩化メチルトリフェニルホスホニウムまたはヨウ化メチルトリフェニルホスホニウムの中から選択される、請求項１から３のいずれか一項に記載の方法。
【請求項５】
ＭＴＨＦの前記メチルトリフェニルホスホニウム塩に対する量（ｖ／ｗ）が、１：１から４：１、好ましくは２：１で、前記ＭＴＨＦおよび前記メチルトリフェニルホスホニウム塩が混合される、請求項１から４のいずれか一項に記載の方法。
【請求項６】
ステップａ）で添加される前記塩基が、カリウムｔｅｒｔ−ブトキシド（ＫＯ−ｔ−Ｂｕ）である、請求項１から５のいずれか一項に記載の方法。
【請求項７】
前記ＫＯ−ｔ−Ｂｕが、メチルトリフェニルホスホニウム塩に対して等モル量で添加される、請求項６に記載の方法。
【請求項８】
ステップａ）で得られた前記混合物が、ステップｂ）の前に、少なくとも１時間、より好ましくは２時間撹拌される、請求項２から７のいずれか一項に記載の方法。
【請求項９】
ステップｂ）で使用される前記ナルトレキソンが、ＭＴＨＦ中の無水固形物または無水溶液として添加される、請求項２から８のいずれか一項に記載の方法。
【請求項１０】
ＭＴＨＦのナルトレキソンに対する量（ｖ／ｗ）が、例えば３：１から５：１または４：１などの、２：１から６：１である、請求項９に記載の方法。
【請求項１１】
ｃ）
（ｉ）塩化アンモニウム（ＮＨ４Ｃｌ）を含む水溶液を、ステップｂ）で得られた混合物と混合する、または
（ｉｉ）酸もしくは酸を含有する溶液を、ステップｂ）で得られた混合物と混合する、または
（ｉｉｉ）ケトンをステップｂ）で得られた混合物と混合する、または
（ｉｖ）上記ステップ（ｉ）、（ｉｉ）および（ｉｉｉ）の組合せを実行し、次に
（ｖ）任意選択で前記混合物を水で希釈する
ステップ、
ｄ）ステップｃ）で得られた有機相を分離するステップ、
ｅ）任意選択で、ｃ）で得られた有機相を水で洗浄し、有機相を分離するステップ、
ｆ）ステップｄ）またはｅ）で得られた有機相を真空下で濃縮して、揮発分を除去するステップ、
ｇ）ステップｆ）で得られた残渣を、１つまたは複数の適当な有機溶媒中で希釈するステップ、
ｈ）塩化水素（ＨＣｌ）をステップｇ）で得られた混合物に添加するステップ、
ｉ）生成した固形物を単離するステップ、
ｊ）任意選択で、ステップｉ）で得られた固形物を、１つまたは複数の適当な溶媒を使用して再スラリー化し、固形物を単離するステップ、および
ｋ）任意選択で、最終固形物を乾燥させるステップ
を含む、請求項２から１０のいずれか一項に記載のステップｂ）で得られるナルメフェンを単離する方法であって、ナルメフェンがナルメフェン塩酸塩として単離される方法。
【請求項１２】
ステップｇ）、ｉ）および／またはステップｊ）で使用される前記有機溶媒が、ハロゲン化炭化水素、アルコール、エーテル、ケトン、エステルおよび芳香族炭化水素から成る群、またはこれらの組合せであって、例えば、アセトン、酢酸エチル、ＭＴＨＦ、２−プロパノール、トルエン、ジクロロメタンまたはこれらの組合せから選択される、請求項１１に記載の方法。
【請求項１３】
ステップｈ）における塩化水素（ＨＣｌ）が、気体または濃厚水溶液として添加される、請求項１１または１２に記載の方法。
【請求項１４】
塩化水素（ＨＣｌ）が、ステップｈ）において、激しく撹拌された状態で、０℃から４０℃の範囲、好ましくは２０℃から３０℃の範囲に含まれる温度で添加される、請求項１１から１３のいずれか一項に記載の方法。
【請求項１５】
得られたナルメフェンＨＣｌが、水溶液中での再結晶化により、ナルメフェンＨＣｌ二水和物に変換される、請求項１１から１４のいずれか一項に記載の方法。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
式（ＸＩＩＩ）の構造を有する、１−置換フェニル−５−トリフルオロメチル−２−（１Ｈ）ピリドン化合物及びその製薬上許容される塩。
【化１】
2012527487.tif 000001
構造式ＸＩＩＩ
式中、Ｒ１〜Ｒ４、Ｒ１２はＨ、ＣＮ、ＮＯ２、ヒドロキシ基、アミノ基、ハロゲン原子、Ｃ１−Ｃ６アルコキシ基、ＮＲ１０Ｒ１１、Ｃ（Ｏ）Ｒ１４、Ｏ−Ｃ（Ｏ）Ｒ１４、Ｃ１−Ｃ６アルキル基、Ｃ１−Ｃ６ハロゲン置換アルキル基、Ｃ２−Ｃ６アルケニル基、カルボキシル基、カルボン酸エステルから選択される。；Ｒ１４はＣ１−Ｃ６アルキル基から選択される。Ｒ１０及びＲ１１はＨ、Ｃ１−Ｃ６ヒドロキシアルキル基、エステル化されたＣ１−Ｃ６ヒドロキシアルキル基、Ｃ１−Ｃ６アルコキシアルキル基、又は構造式ＸＩＶから選択される。；Ｒ１〜Ｒ４、Ｒ１２の少なくとも１つはＮＲ１０Ｒ１１である。；Ｒ１０及びＲ１１の少なくとも１つは、構造式ＸＩＶである。
【化２】
2012527487.tif 000002
構造式ＸＩＶ
構造式ＸＩＶ中、Ｒ５はＨ、Ｃ１−Ｃ６アルキル基、Ｃ１−Ｃ６ヒドロキシアルキル基、エステル化されたＣ１−Ｃ６ヒドロキシアルキル基、Ｃ２−Ｃ６アルケニル基から選択される。；Ｒ６〜Ｒ９はＨ、Ｃ１−Ｃ６アルコキシ基、＝Ｏ、Ｃ１−Ｃ４アルキル基、Ｃ１−Ｃ４ハロゲン置換アルキル基、Ｃ１−Ｃ４ヒドロキシアルキル基、及びＣ２−Ｃ４アルケニル基から選択される。；ＸはＮ、ＣＨから選択される。；ＹはＮ、Ｏ、Ｃから選択される（但し、ＹがＯの場合、Ｒ５は存在しない。）。；ｎは１〜６である。
【請求項２】
Ｒ１２がＮＲ１０Ｒ１１である、請求項１記載の１−置換フェニル−５−トリフルオロメチル−２−（１Ｈ）ピリドン化合物。
【請求項３】
Ｒ１２がＮＲ１０Ｒ１１である場合に、Ｒ１〜Ｒ４のうちの１つがハロゲン原子であり、残りがＨである、請求項１記載の１−置換フェニル−５−トリフルオロメチル−２−（１Ｈ）ピリドン化合物。
【請求項４】
化合物は、
１−（２−クロロ−４−（（３−（４−メチルピペラジン−１−イル）プロピル）アミノ）フェニル−５−（トリフルオロメチル）ピリジン−２（１Ｈ）−オン（化合物１）；１−（２−クロロ−４−（（３−モルホリノプロピル）アミノ）フェニル）−５−（トリフルオロメチル）ピリジン−２（１Ｈ）−オン（化合物２）；
１−（２−クロロ−４−（（３−ピペリジン−１−イル）プロピルアミノ）フェニル）−５−（トリフルオロメチル）ピリジン−２（１Ｈ）−オン（化合物３）；
１−（２−クロロ−４−（（（３−ピペリジン−１−イル）プロピル）アミノ）フェニル）−５−（トリフルオロメチル）ピリジン−２（１Ｈ）−オンの塩酸塩（化合物７）；
１−（（４−（（ピペラジン−１−イル）エチル）アミノ）−２−クロロフェニル）−５−（トリフルオロメチル）ピリジン−２（１Ｈ）−オン（化合物９）；
１−（２−クロロ−４−（（２−（ピペリジル−１−イル）エチル）アミノ）フェニル）−５−（トリフルオロメチル）ピリジン−２（１Ｈ）−オン（化合物の１０）；
１−（２−クロロ−４−（（２−モルホリノエチル）アミノ）フェニル）−５−（トリフルオロメチル）ピリジン−２（１Ｈ）−オン（化合物１１）；
１−（２−クロロ−４−（（２−（４−メチルピペラジン−１−イル）エチル）アミノ）フェニル）−５−（トリフルオロメチル）ピリジン−２（１Ｈ）−オン（化合物１２）；１−（２−クロロ−４−（（２−（４−（２−ヒドロキシエチル）ピペラジン−１−イル）エチル）アミノ）フェニル）−５−（トリフルオロメチル）ピリジン−２（１Ｈ）−オン（化合物１３）である、請求項１記載の１−置換フェニル−５−トリフルオロメチル−２−（１Ｈ）ピリドン化合物。
【請求項５】
請求項１〜４のうちの１つの化合物又は該化合物及びその製薬上許容される添加剤を含むことを特徴とする抗線維化薬物。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
少なくとも１個のＤを有するアリール置換アントラセン化合物。
【請求項２】
第１電気接触層と第２電気接触層とそれらの間の少なくとも１つの活性層とを含む有機電子デバイスであって、前記活性層が少なくとも１個のＤを有するアリール置換アントラセン化合物を含む、有機電子デバイス。
【手続補正２】
【補正対象書類名】明細書
【補正対象項目名】０２１５
【補正方法】変更
【補正の内容】
【０２１５】
明快にするために別々の実施形態の文脈において本明細書で説明されている特定の複数の特徴を、１つの実施形態で兼ね備えさせることもできることを理解すべきである。その逆に、簡潔にするために１つの実施形態の文脈で説明されている様々な特徴を、別個に、あるいは任意の副次的な組合せで備えさせることもできる。さらに、範囲内に示されている値に言及する場合、それはその範囲内の各値およびすべての値を含む。
本発明は以下の実施の態様を含むものである。
１．少なくとも１個のＤを有するアリール置換アントラセン化合物。
２．少なくとも１０％が重水素化されている、前記１に記載の化合物。
３．少なくとも５０％が重水素化されている、前記１に記載の化合物。
４．１００％が重水素化されている、前記１に記載の化合物。
５．前記化合物が、式Ｉ：
【化１】
2012527468.tif 000001
［式中、
Ｒ1〜Ｒ8は、それぞれの出現において同一または異なっていて、Ｈ、Ｄ、アルキル、アルコキシ、アリール、アリールオキシ、ジアリールアミノ、シロキサン、およびシリルよりなる群から選択され；
Ａｒ1およびＡｒ2は同一または異なっていて、アリール基よりなる群から選択され；さらに
Ａｒ3およびＡｒ4は同一または異なっていて、Ｈ、Ｄ、およびアリール基よりなる群から選択される］を有し、
前記化合物が少なくとも１個のＤを有する、前記１〜４のいずれかに記載の化合物。
６．前記少なくとも１個のＤがアリール環の置換基上にある、前記５に記載の化合物。
７．Ｒ1〜Ｒ8の少なくとも１つがＤである、前記５に記載の化合物。
８．Ｒ1〜Ｒ8がＨおよびＤから選択される、前記５に記載の化合物。
９．Ｒ1〜Ｒ8の少なくとも１つが、アルキル、アルコキシ、アリール、アリールオキシ、ジアリールアミノ、シロキサン、およびシリルから選択され、Ｒ1〜Ｒ8の残りがＨおよびＤから選択される、前記５に記載の化合物。
１０．Ｒ2がアルキルおよびアリールから選択される、前記９に記載の化合物。
１１．Ａｒ1〜Ａｒ4の少なくとも１つが重水素化アリールである、前記５に記載の化合物。
１２．Ａｒ3およびＡｒ4がＤおよび重水素化アリール類から選択される、前記５に記載の化合物。
１３．Ａｒ1〜Ａｒ4が少なくとも２０％重水素化されている、前記５に記載の化合物。
１４．第１電気接触層と第２電気接触層とそれらの間の少なくとも１つの活性層とを含む有機電子デバイスであって、前記活性層が少なくとも１個のＤを有するアリール置換アントラセン化合物を含む、有機電子デバイス。
１５．前記アリール置換アントラセン化合物が、式Ｉ：
【化２】
2012527468.tif 000002
［式中、
Ｒ1〜Ｒ8は、それぞれの出現において同一または異なっていて、Ｈ、Ｄ、アルキル、アルコキシ、アリール、アリールオキシ、ジアリールアミノ、シロキサン、およびシリルよりなる群から選択され；
Ａｒ1およびＡｒ2は同一または異なっていて、アリール基よりなる群から選択され；さらに
Ａｒ3およびＡｒ4は同一または異なっていて、Ｈ、Ｄ、およびアリール基よりなる群から選択される］を有し、
前記化合物が少なくとも１個のＤを有する、前記１４に記載のデバイス。
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
プログラムされたプロセッサによって、コンテンツ信号を識別する方法であって、
前記コンテンツ信号の受信された部分のフィンガープリントを計算するステップと、
前記フィンガープリントを使用して、前記コンテンツ信号を識別するステップと、
前記コンテンツ信号の前記受信された部分からデジタルウォーターマークを抽出して、前記受信された部分内のコンテンツの位置特定情報を決定するステップと、
を含む方法。
【請求項２】
前記コンテンツ信号が、前記コンテンツ信号内の位置に対応する複数の固有のデジタルウォーターマークを含み、前記位置特定情報が、前記コンテンツ信号内の位置に対応する前記抽出されたデジタルウォーターマークにおける固有の情報から決定される、請求項１に記載の方法。
【請求項３】
前記固有の情報が、前記コンテンツ信号における時間的位置を提供するタイムコードを含む、請求項２に記載の方法。
【請求項４】
プログラムされたプロセッサによって実行されるコンテンツ認識方法であって、
コンテンツ信号の受信された部分のフィンガープリントを計算するステップと、
前記フィンガープリントを基準データベースに送信して前記コンテンツ信号を識別するステップであって、前記基準データベースが、前記フィンガープリントを前記データベース内の基準フィンガープリントと照合することによってアイデンティティを用意する、当該ステップと、
前記アイデンティティに基づき、前記コンテンツ信号の基準コピーを取得するステップと、
前記コンテンツ信号の前記受信された部分の歪みを、前記受信された部分と前記基準コピーとの比較分析に基づき判断するステップと、
を含む、コンテンツ認識方法。
【請求項５】
前記基準コピー及び前記受信された部分が、前記基準コピーとの比較で前記受信された部分の幾何学的変換を判断するために使用される、請求項４に記載のコンテンツ認識方法。
【請求項６】
前記幾何学的変換を適用して、前記受信された部分からデジタルウォーターマークを抽出するために前記受信された部分を同期化するステップ、を含む、請求項５に記載のコンテンツ認識方法。
【請求項７】
前記受信された部分から前記デジタルウォーターマークを抽出するステップ、を含む、請求項６に記載のコンテンツ認識方法。
【請求項８】
前記歪みが、前記受信された部分の配信チャネルを判断するために使用される、請求項４に記載の方法。
【請求項９】
プログラムされたプロセッサによって実行されるコンテンツ認識方法であって、
コンテンツ信号の受信された部分を分析して、前記コンテンツ信号の信号劣化を推測するステップと、
前記信号劣化から配信チャネルを判断するステップと、
前記コンテンツ信号の前記受信された部分のフィンガープリントを計算するステップと、
前記フィンガープリントを基準データベースに送信して前記コンテンツ信号を識別するステップであって、前記基準データベースが、前記フィンガープリントを前記配信チャネルに対応する前記データベース内の１組の基準フィンガープリントと照合することによってアイデンティティを用意し、前記データベースが配信チャネルに対応する様々な組の基準フィンガープリントにセグメント化され、それにより前記様々な組が共通の組のコンテンツ信号の基準フィンガープリントを含むが、前記様々な配信チャネルに関係する信号特性に基づき計算される前記共通の組のコンテンツ信号の様々な基準フィンガープリントを保存する、当該ステップと、
前記配信チャネルを使用して、前記様々な組のうちのどれを使用して前記コンテンツ信号を識別するかを決定するステップと、
を含む、コンテンツ認識方法。
【請求項１０】
前記配信チャネルが圧縮フォーマットに対応する、請求項９に記載の方法。
【請求項１１】
プログラムされたプロセッサによって実行されるコンテンツ認識方法であって、
様々な版のコンテンツ信号を受信するステップであって、前記様々な版が様々な配信チャネルに対応する、当該ステップと、
前記様々な版の基準フィンガープリントを計算し、前記基準フィンガープリントをセグメント化されたデータベースの対応するセクションに保存するステップであって、前記対応するセクションが特定の配信チャネルに関連する、当該ステップと、
要求に応じて、受信されたフィンガープリントの合致を、前記受信されたフィンガープリントに関連する配信チャネルに対応する前記データベースのセクションで合致を検索することによって、決定するステップと、
を含むコンテンツ認識方法。
【請求項１２】
前記プログラムされたプロセッサによって実行される、
コンテンツ信号の受信された部分のフィンガープリントを計算するステップと、
前記フィンガープリントを基準データベースに送信して前記コンテンツ信号を識別するステップであって、前記基準データベースが、前記フィンガープリントを前記データベース内の基準フィンガープリントと照合することによってアイデンティティを用意する、当該ステップと、
前記アイデンティティに基づき、前記コンテンツ信号の基準コピーを取得するステップと、
前記コンテンツ信号の前記受信された部分の歪みを、前記受信された部分と前記基準コピーとの比較分析に基づき判断するステップと、
をさらに含む、請求項１に記載の方法。
【請求項１３】
前記基準コピー及び前記受信された部分が、前記基準コピーとの比較で前記受信された部分の幾何学的変換を判断するために使用される、請求項１２に記載のコンテンツ認識方法。
【請求項１４】
前記幾何学的変換を適用して、前記受信された部分からデジタルウォーターマークを抽出するために前記受信された部分を同期化するステップ、を含む、請求項１３に記載のコンテンツ認識方法。
【請求項１５】
前記受信された部分から前記デジタルウォーターマークを抽出するステップ、を含む、請求項１４に記載のコンテンツ認識方法。
【請求項１６】
前記歪みが、前記受信された部分の配信チャネルを判断するために使用される、請求項１２に記載の方法。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
人工多能性幹細胞（iPS細胞）のクローンを選別する方法であって、
前記クローンから形成されたニューロスフェアにおいて未分化細胞特異的遺伝子のプロモーター活性が検出された細胞の含有率を測定する工程と、
当該含有率が対照含有率と比較して同等またはそれより低いクローンを選択する選択工程と、
を含む、方法。
【請求項２】
前記細胞の含有率が測定の平均値であり、前記対照含有率が０．０４２％である、請求項１に記載の方法。
【請求項３】
前記細胞の含有率が測定の最大値であり、前記対照含有率が０．０６６％である、請求項１に記載の方法。
【請求項４】
前記未分化細胞特異的遺伝子のプロモーター活性の検出が、当該プロモーターによって制御されるマーカー遺伝子の発現を検出することにより行われる、請求項１から３のいずれか１項に記載の方法。
【請求項５】
前記マーカー遺伝子が、蛍光タンパク質、発光タンパク質または酵素をコードする、請求項４に記載の方法。
【請求項６】
前記プロモーター活性の検出が、内在性の未分化細胞特異的遺伝子の発現を検出することを含む、請求項１から３のいずれか１項に記載の方法。
【請求項７】
前記未分化細胞特異的遺伝子が、Nanog遺伝子である、請求項１から６のいずれか１項に記載の選択方法。
【請求項８】
前記クローンからニューロスフェアを形成させる分化誘導工程をさらに含む、請求項１から７のいずれか１項に記載の方法。
【請求項９】
分化させて生体に移植したときにin vivoにおける腫瘍形成率が低減されたiPS細胞のクローンの製造方法であって、
(1)iPS細胞の複数のクローンを提供する工程、および
(2)請求項１から８のいずれか１項に記載の方法によりクローンを選択する工程、
を含む、方法。
【請求項１０】
Oct遺伝子群、Sox遺伝子群、Klf遺伝子群、Myc遺伝子群、Nanog遺伝子、Sall遺伝子群およびLin遺伝子群からなる群から選択される少なくとも一つの遺伝子を体細胞に導入し、iPS細胞の複数のクローンを作製する工程をさらに含む、請求項９に記載の方法。
【請求項１１】
導入される遺伝子が、Oct3/4遺伝子、Sox2遺伝子、Klf4遺伝子、c-Myc遺伝子、L-Myc遺伝子、Nanog遺伝子、Sall4、Sall1遺伝子およびLin28遺伝子からなる群から選択される、請求項１０に記載の方法。
【請求項１２】
導入される遺伝子が、Oct3/4遺伝子、Sox2遺伝子、Klf4遺伝子およびc-Myc遺伝子からなる群から選択される、請求項１０に記載の方法。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
組換えヒト野生型酸性β−グルコシダーゼの産生を改善するための方法であって、前記組換えタンパク質を発現する宿主細胞と、前記組換えタンパク質に特異的な薬理学的シャペロンとを接触させることを含む方法。
【請求項２】
前記宿主細胞が哺乳類細胞である、請求項１に記載の方法。
【請求項３】
前記薬理学的シャペロンが、イソファゴミン、Ｃ−ベンジルイソファゴミン、Ｎ−アルキル（Ｃ９〜１２）−ＤＮＪ、グルコイミダゾール、Ｃ−アルキル−ＩＦＧ、Ｎ−アルキル−β−バリエナミン、フルフェノジン、Ｎ−ドデシル−ＤＮＪ、カリステギンＡ３、カリステギンＢ１、カリステギンＢ２およびカリステギンＣ１からなる群から選択される、請求項１に記載の方法。
【請求項４】
前記薬理学的シャペロンがイソファゴミンである、請求項３に記載の方法。
【請求項５】
前記宿主細胞が、ＣＨＯ細胞、ＨｅＬａ細胞、ＨＥＫ−２９３細胞、２９３Ｔ細胞、ＣＯＳ細胞、ＣＯＳ−７細胞、マウス初代筋芽細胞、およびＮＩＨ３Ｔ３細胞からなる群から選択される、請求項１に記載の方法。
【請求項６】
前記宿主細胞と、前記組換えタンパク質に特異的な薬理学的シャペロンとの接触が、前記細胞の小胞体内で分解されない適切な野生型立体配座において前記タンパク質を安定化する、請求項１に記載の方法。
【請求項７】
前記宿主細胞と、前記組換えタンパク質に特異的な薬理学的シャペロンとの接触が、前記組換えタンパク質の過剰発現に関連する小胞体ストレスを低下させる、請求項１に記載の方法。
【請求項８】
前記宿主細胞と、前記組換えタンパク質に特異的な薬理学的シャペロンとの接触が、前記細胞の小胞体からの前記タンパク質の排出を増大させる、請求項１に記載の方法。
【請求項９】
前記宿主細胞と、前記組換えタンパク質に特異的な薬理学的シャペロンとの接触が、前記細胞からの前記タンパク質の分泌を増大させる、請求項１に記載の方法。
【請求項１０】
前記宿主細胞と、前記組換えタンパク質に特異的な薬理学的シャペロンとの接触が、５．０よりも高いｐＨにおける前記タンパク質の安定性を向上させる、請求項１に記載の方法。
【請求項１１】
組換えヒト野生型酸性β−グルコシダーゼの産生を改善するための方法であって、前記組換え酸性β−グルコシダーゼを発現するＣＨＯ宿主細胞と、イソファゴミンまたはその塩とを接触させることを含む方法。
【請求項１２】
前記ヒト野生型酸性β−グルコシダーゼを前記宿主から精製することをさらに含み、精製の間、前記宿主と、前記薬理学的シャペロンとを接触させて、前記酸性β−グルコシダーゼの安定性を向上させる、請求項１に記載の方法。
【請求項１３】
前記精製された酸性β−グルコシダーゼを貯蔵することをさらに含み、貯蔵の間、前記薬理学的シャペロンが前記酸性β−グルコシダーゼの安定性を向上し、前記酸性β−グルコシダーゼの安定性は、前記薬理学的シャペロンと接触させていない組換えヒト野生型酸性β−グルコシダーゼタンパク質の安定性よりも高い、請求項１２に記載の方法。
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
受信側へ送信すべく発信側から受信する複数のメッセージを、１つ以上の他のメッセージへの１つのメッセージの依存関係に基づくシーケンスに順序づけする方法であって：
メッセージストリームから１つ以上のメッセージを受信するステップと；
前記メッセージストリームから１つ以上のメッセージを生成して、前記生成されたメッセージの各々に対するステータスフィールドのための順序、目標および値を決定するステップと；
前記生成されたメッセージをデータベースに格納するステップと；
一群の格納されたメッセージに共通する各メッセージの特性（Ｐキー順序）を識別するステップと；
前記一群のメッセージにおいて前記格納された複数のメッセージに対する１つのメッセージの依存関係を、当該メッセージのパラメータから識別するステップと；
前記格納されたメッセージが先行するメッセージに依存するかどうか決定して、前記先行するメッセージの前記ステータスフィールドの値を読み取ることにより前記先行するメッセージのステータスを決定するステップによって、そして；
前記先行するメッセージの前記ステータスに基づいて、前記格納されたメッセージの前記ステータスフィールドの前記値を更新するステップによって；
前記格納されたメッセージが送信され得るかどうか決定するために、前記データベース内の特定の格納されたメッセージを見直すステップと；
前記先行するメッセージが送信された受信確認の後、前記格納されたメッセージを送信するステップと；
を含む方法。
【請求項２】
請求項１に記載の方法であって、所定の状態になるまで前記格納されたメッセージを遅延させるステップをさらに含む、方法。
【請求項３】
請求項１に記載の方法であって、遅延時間になるまで前記格納されたメッセージを遅延させるステップをさらに含む、方法。
【請求項４】
請求項１に記載の方法であって、先行するメッセージが存在するかどうか決定する前記ステップは、前記先行するメッセージが受信側によって受信されたことを示すメッセージ受信確認を受信するステップを含む、方法。
【請求項５】
請求項４に記載の方法であって、前記格納されたメッセージをアウトバウンド待ち行列に送信するステップをさらに含む、方法。
【請求項６】
請求項４に記載の方法であって、前記格納されたメッセージと関連した任意の次のメッセージの前記ステータスフィールドの前記値を更新するために、前記格納されたメッセージの前記ステータスフィールドの前記値を更新するステップをさらに含む、方法。
【請求項７】
請求項１に記載の方法であって、前記一群のメッセージの各メッセージに対する、前記見直すステップ、更新するステップ、および送信するステップを順に繰り返すステップをさらに含む、方法。
【請求項８】
請求項１に記載の方法であって、ステータスの任意の変更とともに前記データベースを更新するステップをさらに含む、方法。
【請求項９】
受信側へ送信すべく発信側から受信するシーケンス識別子のない複数のメッセージを、当該複数のメッセージのメッセージ順序と同等のシーケンスに順序づけするメッセージシステムであって：
メッセージストリームから１つ以上のメッセージを受信するための、そして前記メッセージストリームから１つ以上のメッセージを生成するための、そして前記生成されたメッセージの各々に対するステータスフィールドの順序、目標および値を決定するための、そして前記生成されたメッセージをデータベースに格納するための、非一時的なコンピュータ可読媒体で具体化される受信モジュールと；
一群の前記格納されたメッセージに共通する各メッセージの特性（Ｐキー順序）を識別するための、そして前記メッセージのパラメータから前記一群のメッセージについてのメッセージ順序（１、２、３、４その他）に対応するシーケンスを識別するための、そして、
シーケンスにおいて格納されたメッセージよりも前に先行するメッセージが存在するかどうか決定して、前記先行するメッセージの前記ステータスフィールドの値を読み取ることにより前記先行するメッセージのステータスを決定する手段、および；
前記先行するメッセージの前記ステータスに基づいて、前記格納されたメッセージの前記ステータスフィールドの前記値を更新する手段、を用いることによって；
前記格納されたメッセージが送信され得るかどうか決定するために、前記データベース内の特定の格納されたメッセージを見直すための、非一時的なコンピュータ可読媒体で具体化されるメッセージ管理モジュールと；
前記先行するメッセージが一旦送信された前記シーケンスに従って前記格納されたメッセージを送信するための、非一時的なコンピュータ可読媒体で具体化される送信モジュールと；
を備えるシステム。
【請求項１０】
請求項９に記載のシステムであって、所定の状態になるまで前記格納されたメッセージを遅延させる遅延モジュールをさらに備える、システム。
【請求項１１】
請求項９に記載のシステムであって、遅延時間になるまで前記格納されたメッセージを遅延させる遅延時間モジュールをさらに備える、システム。
【請求項１２】
実行されるときに、受信側へ送信すべく発信側から受信する複数のメッセージを、１つ以上の他のメッセージへの１つのメッセージの依存関係に基づくシーケンスに順序づけする方法をコンピュータに実行させる命令を有するコンピュータプログラムでコード化された非一時的なコンピュータ可読媒体であって、前記方法は、前記コンピュータプログラムがプログラム可能な装置上で実行されるときに：
メッセージストリームから１つ以上のメッセージを受信するステップと；
前記メッセージストリームから１つ以上のメッセージを生成して、前記生成されたメッセージの各々に対するステータスフィールドのための順序、目標および値を決定するステップと；
前記生成されたメッセージをデータベースに格納するステップと；
一群の格納されたメッセージに共通する各メッセージの特性（Ｐキー順序）を識別するステップと；
前記一群のメッセージにおいて前記格納された複数のメッセージに対する１つのメッセージの依存関係を、当該メッセージのパラメータから識別するステップと；
前記格納されたメッセージが先行するメッセージに依存するかどうか決定して、前記先行するメッセージの前記ステータスフィールドの値を読み取ることにより前記先行するメッセージのステータスを決定するステップによって、そして；
前記先行するメッセージの前記ステータスに基づいて、前記格納されたメッセージの前記ステータスフィールドの前記値を更新するステップによって；
前記格納されたメッセージが送信され得るかどうか決定するために、前記データベース内の特定の格納されたメッセージを見直すステップと；
前記先行するメッセージが送信された受信確認の後、前記格納されたメッセージを送信するステップと；を含む、
非一時的なコンピュータ可読媒体。
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
暗号化、統計、シミュレーション、ランダム化のシステム、ゲーム機器などにおいて文字列を使用するための方法であって、
第１の文字列（Ｍｕｔｔｅｒ＄）を提供するステップを含み、前記第１の文字列（Ｍｕｔｔｅｒ＄）はシステムで直接使用されないものの、前記第１の文字列（Ｍｕｔｔｅｒ＄）から第２の文字列（Ｗｏｒｋ＄１、Ｗｏｒｋ＄２、Ｃｏｄｅ＄）が生成され、
第４の文字列（Ｗｏｒｋ＄２）を生成するために、前記第１の文字列（Ｍｕｔｔｅｒ＄）および前記第２の文字列（Ｗｏｒｋ＄１）の少なくとも一方は２つの部分長（Ｔｒｕｅ＄、Ｕｎｔｒｕｅ＄）に分割され、一方の部分長は他方の部分長を用いて論理ＸＯＲ符号化され、好ましくは論理拡張ＸＯＲ符号化され、
前記２つの部分長のうちの一方（Ｔｒｕｅ＄）は、提供された第５の文字列（ＺＺ＄）に含まれる文字またはビットシーケンスのみを含み、前記２つの部分長のうちの他方（Ｕｎｔｒｕｅ＄）は、前記第５の文字列（ＺＺ＄）に含まれていない文字またはビットシーケンスのみを含む、方法。
【請求項２】
前記第１の文字列（Ｍｕｔｔｅｒ＄）は、マシン読取可能メモリ（２）に、特にＲＡＭ、ＦＬＡＳＨなどに格納される、請求項１に記載の方法。
【請求項３】
前記第２の文字列（Ｗｏｒｋ＄１、Ｗｏｒｋ＄２、Ｃｏｄｅ＄）は、前記メモリ（２）と通信するプロセッサ（４）において、前記第１の文字列（Ｍｕｔｔｅｒ＄）から自動的に生成される、請求項２に記載の方法。
【請求項４】
文字列（Ｍｕｔｔｅｒ＄、Ｗｏｒｋ＄１、Ｗｏｒｋ＄２、Ｃｏｄｅ＄）のために、ランダム文字、好ましくは乱数の配列、特に２進乱数の配列が使用される、請求項１〜３のいずれか１項に記載の方法。
【請求項５】
第１の乱数（Ｍｕｔｔｅｒ＄）のために、物理的乱数が使用される、請求項４に記載の方法。
【請求項６】
前記第１の文字列（Ｍｕｔｔｅｒ＄）は暗号化キーとして使用される、請求項１〜５のいずれか１項に記載の方法。
【請求項７】
第３の文字列（ＺＺ＄）が、好ましくは前記第１の文字列（Ｍｕｔｔｅｒ＄）から独立して提供され、
前記第２の文字列（Ｗｏｒｋ＄１）を生成するために、前記第１の文字列（Ｍｕｔｔｅｒ＄）は、前記第３の文字列（ＺＺ＄）を用いて論理ＸＯＲ符号化され、好ましくは論理拡張ＸＯＲである、請求項１〜６のいずれか１項に記載の方法。
【請求項８】
前記第３の文字列（ＺＺ＄）は、１ビットよりも大きく、有利には２４バイト以上、特に有利には３４バイト以上のサイズを有して選択される、請求項７に記載の方法。
【請求項９】
前記第１の文字列（Ｍｕｔｔｅｒ＄）は、１００バイトよりも大きく、有利には１Ｍバイト以上、特に有利には１００Ｍバイト以上となるよう選択される、請求項１〜８のいずれか１項に記載の方法。
【請求項１０】
前記第１の文字列または前記第２の文字列は前記第４の文字列を用いて論理ＸＯＲ符号化され、好ましくは論理拡張ＸＯＲ符号化される、請求項１〜９のいずれか１項に記載の方法。
【請求項１１】
前記第５の文字列（ＺＺ＄）は２４バイト以上の長さを有し、８ビットの長さの文字を含んでおり、前記第２の文字列がこれらの文字を含むかどうかが比較される、請求項１〜１０のいずれか１項に記載の方法。
【請求項１２】
第３の文字列および前記第５の文字列は同一の文字列（ＺＺ＄）であり、前記第３の文字列（ＺＺ＄）として提供される、請求項７および８のうちの１つと組合された請求項１〜１１のいずれか１項に記載の方法。
【請求項１３】
暗号化、統計、シミュレーション、ランダム化のシステム、ゲーム機器などにおける装置（１）であって、
前記装置（１）は請求項１〜１２のいずれか１項に記載の方法を実行するよう構成されている、装置。
【請求項１４】
コンピュータ読取可能媒体（２）上に格納され、コンピュータ読取可能プログラム手段を含むコンピュータプログラム製品であって、
前記プログラム手段は、コンピュータ上で実行されると、コンピュータに請求項１〜１２のいずれか１項に記載の方法を実行させる、コンピュータプログラム製品。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
ハンドオフ中にコールロジックを保持するためのサーバにより実行される方法であって、
コールを受信するステップと、
状態機械にしたがって、前記コールを扱うことができないと判定するステップと、
前記サーバが中断したところから第２のサーバが前記コールを引き受けることができるように、前記サーバが中断した前記コールの、前記状態機械内における位置およびコンテキストを含む情報と共に前記第２のサーバに前記コールを転送するステップと
を備えることを特徴とする方法。
【請求項２】
前記コールを受信する前記ステップは、ＶｏＩＰ（Voice over Internet Protocol）コールを含む前記コールを受信するステップを含むことを特徴とする請求項１に記載の方法。
【請求項３】
前記コールを受信する前記ステップは、ＶｏＩＰ（Voice over Internet Protocol）ゲートウェイを介して前記コールを受信するステップを含むことを特徴とする請求項１に記載の方法。
【請求項４】
前記ＶｏＩＰ（Voice over Internet Protocol）ゲートウェイを介して前記コールを受信する前記ステップは、ＳＩＰ（session intiation protocol）対応電話を含むコーリングコンソールから、前記ＶｏＩＰ（Voice over Internet Protocol）ゲートウェイを介して、前記コールを受信するステップを含むことを特徴とする請求項３に記載の方法。
【請求項５】
前記コールを扱うことができないと判定する前記ステップは、前記コールに関するコールされる側に関連するボイスメールボックスが前記サーバ上に配置されていないと判定するステップを含むことを特徴とする請求項１に記載の方法。
【請求項６】
前記第２のサーバに前記コールを転送する前記ステップは、ＶｏＩＰ（Voice over  Internet Protocol）ゲートウェイを介して、前記第２のサーバに前記コールを転送するステップを含むことを特徴とする請求項１に記載の方法。
【請求項７】
前記サーバが中断したところから前記第２のサーバが前記コールを引き受けることができるように、前記サーバが中断した前記コールの、前記状態機械内における前記位置および前記コンテキストを含む情報と共に前記第２のサーバに前記コールを転送する前記ステップは、
ＲＥＦＥＲＲＥＤ−ＢＹヘッダに前記情報を配置するステップと、
前記ＲＥＦＥＲＲＥＤ−ＢＹヘッダを前記第２のサーバに送信するステップと
を含むことを特徴とする請求項１に記載の方法。
【請求項８】
前記ＲＥＦＥＲＲＥＤ−ＢＹヘッダに前記情報を配置する前記ステップは、前記コールに関するコールされる側に関連するユーザエクステンションである電話内線番号を含む前記情報を、前記ＲＥＦＥＲＲＥＤ−ＢＹヘッダに配置するステップを含むことを特徴とする請求項７に記載の方法。
【請求項９】
前記コールを扱うことができないと判定する前記ステップに応じて、前記第２のサーバが前記コールを扱うことができると判定するステップをさらに備えることを特徴とする請求項１に記載の方法。
【請求項１０】
前記第２のサーバが前記コールを扱うことができると判定する前記ステップは、
前記コールに関する着呼者に関連するボイスメールボックスが前記サーバ上に配置されていないと判定するステップと、
前記コールに関する前記着呼者に関連する前記ボイスメールボックスが前記第２のサーバ上に配置されていると判定するステップと
を含むことを特徴とする請求項９に記載の方法。
【請求項１１】
前記コールに関する前記着呼者に関連する前記ボイスメールボックスが前記第２のサーバ上に配置されていると判定する前記ステップは、ネットワーク上のデータベースにクエリを行って、前記コールに関する前記着呼者に関連する前記ボイスメールボックスが前記第２のサーバ上に配置されていると判定するステップを含むことを特徴とする請求項１０に記載の方法。
【請求項１２】
請求項１乃至１１のいずれか一つに記載の方法をコンピュータに実行させるためのプログラム。
【請求項１３】
請求項１２に記載のプログラムを記録したコンピュータ可読記憶媒体。
【請求項１４】
プロセッサとメモリを備えたコンピュータであって、メモリは前記プロセッサに請求項１乃至１１のいずれか一つに記載の方法を実行させるプログラムを記録したことを特徴とするコンピュータ。
【請求項１５】
ハンドオフ中にコールロジックを引き継ぐためのサーバにより実行される方法であって、
第２のサーバにおいて中断され、前記コールに関する前記第２のサーバの状態機械内における位置およびコンテキストを含む情報と共に前記第２のサーバから転送されたコールを受信するステップと、
前記情報に基づいて、前記コールの処理を開始するステップと
を備えることを特徴とする方法。
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
計算装置のプロセッサを、該計算装置にネットワーク接続されたクライアントデバイスがメディアファイルを再生することを可能にする方法を実行するようにプログラミングするためのコンピューター実行可能命令を格納するコンピューター読み取り可能な記憶媒体であって、前記方法は、
（ａ）前記クライアントデバイスによってサポートされている前記メディアファイルフォーマットを検出するステップと、
（ｂ）前記クライアントデバイスに、前記計算装置にコンタクトして該クライアントデバイスによってサポートされていないフォーマットのメディアファイルを取得するように指示するステップと、
（ｃ）前記クライアントデバイスに、リモートロケーションに直接コンタクトして該クライアントデバイスによってサポートされているフォーマットのメディアファイルを取得するように指示するステップと、
（ｄ）前記クライアントデバイスから、該クライアントデバイスによってサポートされていないフォーマットのメディアファイルを取得するという要求を受信するステップと、
（ｅ）前記ステップ（ｄ）において要求された前記メディアファイルを取得するステップと、
（ｆ）前記ステップ（ｅ）において取得された前記メディアファイルを、前記クライアントデバイスによってサポートされているフォーマットにトランスコードするステップと、
（ｇ）前記ステップ（ｆ）においてトランスコードされた前記メディアファイルを前記クライアントデバイスによって再生するために該クライアントデバイスに転送するステップと、
（ｈ）ユーザーによって生成されるルート検索クエリーを受信するステップと、
（ｉ）前記ルート検索クエリーの検索結果を生成するステップと、
（ｊ）前記ルート検索クエリーから１つ又は複数の派生検索クエリーを生成するステップであって、前記派生検索クエリーは、元のルート検索クエリーに関連する検索クエリーを派生させることができるメタデータマイニングエンジンによって生成される、ステップと、
（ｋ）前記１つ又は複数の派生検索クエリーの検索結果を生成するステップと、
（ｌ）前記ステップ（ｈ）において生成された前記ルートクエリーの検索結果からのコンテンツを含み、かつ前記ステップ（ｊ）における前記１つ又は複数の派生検索クエリーの検索結果からのコンテンツを含む、仮想テレビチャンネルを作成するステップと
を含む、コンピューター読み取り可能な記憶媒体。
【請求項２】
（ｍ）前記クライアントデバイスから、メディアファイルの検索を実行するという要求を受信するステップと、
（ｎ）リモートロケーションにコンタクトするステップと、
（ｏ）前記リモートロケーションから利用可能なメディアファイルのカテゴリを取得するステップと、
（ｐ）前記カテゴリを、前記リモートロケーションにおける利用可能なメディアファイルのカテゴリへのリンクを含むデータ構造にフォーマット設定するステップと、
（ｑ）前記フォーマット設定されたデータ構造を前記クライアントデバイスに送信するステップと、
をさらに含む、請求項１に記載のコンピューター読み取り可能な記憶媒体。
【請求項３】
前記クライアントデバイスから、利用可能なメディアファイルの前記カテゴリのうちの１つ又は複数の閲覧要求を受信し、前記リモートロケーションにコンタクトして前記要求された１つ又は複数のカテゴリを取得するステップをさらに含む、請求項２に記載のコンピューター読み取り可能な記憶媒体。
【請求項４】
前記ステップ（ｂ）及び前記ステップ（ｃ）は、前記クライアントデバイスが前記メディアファイルを取得する際に用いるためのデータ構造を該クライアントデバイスに送信するステップを含む、請求項１に記載のコンピューター読み取り可能な記憶媒体。
【請求項５】
前記クライアントデバイスが前記メディアファイルを要求する際に用いるべきリンクを前記データ構造が指定するステップをさらに含む、請求項４に記載のコンピューター読み取り可能な記憶媒体。
【請求項６】
前記クライアントデバイスに、前記計算装置にコンタクトして該クライアントデバイスによってサポートされていないフォーマットのメディアファイルを取得するように指示する前記ステップ（ｂ）は、前記クライアントデバイスに、前記計算装置への接続を指定するリンクを有するデータ構造を送信するステップを含む、請求項５に記載のコンピューター読み取り可能な記憶媒体。
【請求項７】
前記クライアントデバイスに、リモートロケーションに直接コンタクトして該クライアントデバイスによってサポートされているフォーマットのメディアファイルを取得するように指示する前記ステップ（ｃ）は、前記クライアントデバイスに、前記要求されたメディアファイルのロケーションへの直接接続を指定するリンクを有するデータ構造を送信するステップを含む、請求項５に記載のコンピューター読み取り可能な記憶媒体。
【請求項８】
前記ステップ（ｆ）においてトランスコードされた前記メディアファイルを前記クライアントデバイスに転送する前記ステップ（ｇ）は、前記ステップ（ｆ）においてトランスコードされた前記メディアファイルを、テレビシステムに関連付けられるセットトップボックス、移動電話及びゲームコンソールのうちの１つに転送するステップを含む請求項１に記載のコンピューター読み取り可能な記憶媒体。
【請求項９】
前記仮想チャンネル上のコンテンツを所定の長さの番組に分割するステップをさらに含む請求項１に記載のコンピューター読み取り可能な記憶媒体。
【請求項１０】
前記仮想チャンネル上のコンテンツを番組に分割するステップは、コンテンツを、各々が前記ルート検索クエリー又は異なる派生検索クエリーに関連する番組へ分割するステップを含む請求項９に記載のコンピューター読み取り可能な記憶媒体。
【請求項１１】
コンテンツ再生のための時間を未来の所定のある期間に設定するスケジュールに従って、前記仮想テレビチャンネル上でコンテンツを再生するステップをさらに含む請求項１に記載のコンピューター読み取り可能な記憶媒体。
【請求項１２】
前記クライアントデバイスが、サポートされるコンテンツを要求するために該サポートされるコンテンツのソースに直接コンタクトするステップをさらに含む請求項１に記載のコンピューター読み取り可能な記憶媒体。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
１つ以上のエピトープ結合ドメインに連結したタンパク質足場を含む抗原結合性タンパク質であって、該抗原結合性タンパク質は少なくとも２つの抗原結合部位を有し、そのうちの少なくとも１つはエピトープ結合ドメインに由来し、少なくとも１つはペアードＶＨ／ＶＬドメインに由来し、該エピトープ結合ドメインが、１０〜５０のアミノ酸を含むペプチドリンカーによって該タンパク質足場に連結された、抗原結合性タンパク質。
【請求項２】
１つ以上のエピトープ結合ドメインに連結したタンパク質足場を含む抗原結合性タンパク質であって、該抗原結合性タンパク質は少なくとも２つの抗原結合部位を有し、そのうちの少なくとも１つはエピトープ結合ドメインに由来し、少なくとも１つはペアードＶＨ／ＶＬドメインに由来し、該エピトープ結合ドメインが、配列番号５３〜６０、配列番号６２〜７２、配列番号７４、配列番号７６〜７８、配列番号１１２〜１１４で示されるもの、またはこのようなリンカーの組み合わせ若しくは複合から選択されるリンカーによって該タンパク質足場に連結された、抗原結合性タンパク質。
【請求項３】
該リンカーが（ＰＡＳ）ｎ（ＧＳ）ｍ、（ＧＧＧＧＳ）ｐ（ＧＳ）ｍ、（ＴＶＡＡＰＳ）ｐ（ＧＳ）ｍ、（ＧＳ）ｍ（ＴＶＡＡＰＳＧＳ）ｐ、（ＰＡＶＰＰＰ）ｎ（ＧＳ）ｍ、（ＴＶＳＤＶＰ）ｎ（ＧＳ）ｍ、および（ＴＧＬＤＳＰ）ｎ（ＧＳ）ｍ（ここで、ｎ＝１〜１０、かつ、ｍ＝０〜４、かつ、ｐ＝２〜１０）から選択される、請求項１または２に記載の抗原結合性タンパク質。
【請求項４】
少なくとも１つのエピトープ結合ドメインが免疫グロブリン単一可変ドメイン（ｄＡｂ）である、請求項１〜３のいずれか１項に記載の抗原結合性タンパク質。
【請求項５】
該免疫グロブリン単一可変ドメインがヒトｄＡｂである、請求項４に記載の抗原結合性タンパク質。
【請求項６】
該抗原結合性タンパク質が２つ以上の抗原に対する特異性を有する、請求項１〜５のいずれか１項に記載の抗原結合性タンパク質。
【請求項７】
第１の結合部位が抗原上の第１のエピトープに対する特異性を有し、第２の結合部位が同じ抗原上の第２のエピトープに対する特異性を有する、請求項１〜６のいずれか１項に記載の抗原結合性タンパク質。
【請求項８】
該抗原結合性タンパク質がＩＬ−１３またはＴＮＦαまたはＩＬ１−Ｒに結合可能な、請求項１〜７のいずれか１項に記載の抗原結合性タンパク質。
【請求項９】
該抗原結合性タンパク質がＩＬ−１３、ＩＬ−５、ＩＬ−４、ＶＥＧＦ、ＩＧＦ−１ＲおよびＥＧＦＲから選択される２つ以上の抗原に結合可能な、請求項１〜８のいずれか１項に記載の抗原結合性タンパク質。
【請求項１０】
該タンパク質足場がＩｇ足場である、請求項１〜９のいずれか１項に記載の抗原結合性タンパク質。
【請求項１１】
該エピトープ結合ドメインのうちの少なくとも１つがヒト血清アルブミンに結合する、請求項１〜１０のいずれか１項に記載の抗原結合性タンパク質。
【請求項１２】
医療における使用のための、請求項１〜１１のいずれか１項に記載の抗原結合性タンパク質。
【請求項１３】
請求項１〜１１のいずれか１項に記載の抗原結合性タンパク質の重鎖をコードする、ポリヌクレオチド配列。
【請求項１４】
請求項１〜１１のいずれか１項に記載の抗原結合性タンパク質の軽鎖をコードする、ポリヌクレオチド。
【請求項１５】
請求項１〜１１のいずれか１項に記載の抗原結合性タンパク質の重鎖および軽鎖をコードする１つ以上のポリヌクレオチド配列を含む、形質転換またはトランスフェクトされた単離された組換え宿主細胞。
【請求項１６】
請求項１５に記載の宿主細胞を培養して前記抗原結合性タンパク質を単離する工程を含む、請求項１〜１１のいずれか１項に記載の抗原結合性タンパク質の生産方法。
【請求項１７】
請求項１〜１１のいずれか１項に記載の抗原結合性タンパク質および製薬上許容可能な担体を含む医薬組成物。
【請求項１８】
タンパク質足場に連結した際のエピトープ結合ドメインの効力を改善する方法であって、該エピトープ結合ドメインはリンカーを用いずにタンパク質足場に直接連結された場合に、裸のエピトープ結合ドメインとしてのその効力に比べて低い効力を有するものであり、該タンパク質足場と該エピトープ結合ドメインの間にペプチドリンカーを付加する工程を含み、該ペプチドリンカーが少なくとも１０のアミノ酸を含む、方法。
【請求項１９】
該リンカーが１０〜５０の間のアミノ酸を含む、請求項１８に記載の方法。